(57)【要約】ユーザーの皮膚の一部に付着するため及びユーザーの皮膚の一部を覆うための、少なくともその一方の側面に粘着面を有する粘着部材（１０）であって、前記部材が複数の隙間（１２）を含み、前記隙間の各々が前記部材（１０）の周縁から内側に延びることを特徴とする粘着部材（１０）。
2013505097.tif 000002
【特許請求の範囲】
【請求項１】
ユーザーの皮膚の一部に付着するため及びユーザーの皮膚の一部を覆うための、少なくともその一方の側面に粘着面を有する粘着部材（１０）であって、前記部材が複数の隙間（１２）を含み、前記隙間の各々が前記部材（１０）の周縁から内側に延びることを特徴とする粘着部材（１０）。
【請求項２】
各隙間が全体として細長い、請求項１に記載の粘着部材（１０）。
【請求項３】
各隙間が一対の対向する側壁（１３，１４）を有する、請求項１または請求項２に記載の粘着部材（１０）。
【請求項４】
前記対向する側壁（１３，１４）が実質的に互いに平行に並べられる、請求項３に記載の粘着部材（１０）。
【請求項５】
前記対向する側壁が、内側に延びるにつれて互いに向かって延びる、請求項３に記載の粘着部材（１０）。
【請求項６】
各隙間（１２）が、前記隙間への入口（１２ａ）に隣接する前記部材（１０）の周縁の接平面に対して実質的に垂直な方向において、前記粘着部材の中央領域に向かって内側に延びる、先行する請求項のいずれか１項に記載の粘着部材（１０）。
【請求項７】
前記部材（１０）が実質的に円形、楕円形または長円形であり、各隙間が実質的に前記部材（１０）の中央領域に向かって半径方向内側に延びる、先行する請求項のいずれか１項に記載の粘着部材（１０）。
【請求項８】
少なくとも１つの前記隙間（１２）が、実質的に他の１つの前記隙間（１２）の反体側に配置される、先行する請求項のいずれか１項に記載の粘着部材（１０）。
【請求項９】
各隙間（１２）が実質的に他の１つの隙間（１２）の反体側に配置される、先行する請求項のいずれか１項に記載の粘着部材（１０）。
【請求項１０】
前記隙間（１２）が実質的に互いに平行に並べられる、請求項９に記載の粘着部材（１０）。
【請求項１１】
少なくとも１つの前記隙間（１２）が、実質的に他の１つの前記隙間の（１２）の正反対に配置される、先行する請求項のいずれか１項に記載の粘着部材（１０）。
【請求項１２】
各隙間（１２）が実質的に他の１つの隙間（１２）の正反対に配置される、先行する請求項のいずれか１項に記載の粘着部材（１０）。
【請求項１３】
各隙間（１２）の前記対抗する側壁（１３、１４）が互いに向かって移動可能である、請求項３または請求項３に従属するいずれか１項に記載の粘着部材（１０）。
【請求項１４】
前記部材（１２）がその中央領域に開口（１６）を含み、前記各隙間（１２）が前記開口（１６）に向かって延びる、先行する請求項のいずれか１項に記載の粘着部材（１０）。
【請求項１５】
前記部材（１０）の一方の半分が前記部材（１０）の他方の半分よりも前記隙間（１２）の多くを有する、先行する請求項のいずれか１項に記載の粘着部材（１０）。
【請求項１６】
前記部材（１０）の一方の半分が３つの前記隙間（１２）を有する、先行する請求項のいずれか１項に記載の粘着部材（１０）。
【請求項１７】
前記部材（１０）の上半分が２つの前記隙間（１２）を有する、先行する請求項のいずれか１項に記載の粘着部材（１０）。
【請求項１８】
先行する請求項のいずれか１項に記載の粘着部材（１０）を含むストーマ装具（１１）。
【請求項１９】
先行する請求項のいずれか１項に記載の粘着部材（１０）を含むワンピース型ストーマ装具。
【請求項２０】
先行する請求項のいずれか１項に記載の粘着部材（１０）を含むツーピース型ストーマ装具。
【発明の詳細な説明】
【技術分野】
【０００１】
本発明は、ユーザーの皮膚の一部に付着するため及びユーザーの皮膚の一部を覆うための粘着部材に関する。粘着部材は、概して平面状であり、その少なくとも一方の側面に粘着面を有する。
【背景技術】
【０００２】
このような粘着部材は、傷を覆うための包帯として使用することができ、または、ユーザーの皮膚にストーマ装具を接着するためのストーマ装具の一部として使用することができる。後者の例では、粘着部材（しばしば「ウエハ」と呼ばれる）は、通常、ユーザーの皮膚を刺激しない材料（例えば、親水コロイド）から製造され、概ね、円形、楕円形または長円形である。粘着部材は、その中央領域に、ユーザーのストーマ（瘻孔）を入れるために開口を有する。開口はストーマの特定サイズの大きさにされ得る。しかし、通常、必要に応じて、ユーザーが粘着部材により大きな開口を切り抜くことが可能である。
【０００３】
ワンピース型ストーマ装具では、粘着部材は袋（排泄物を受ける）に直接接続される。ユーザーは、粘着部材の開口を自分のストーマと合わせ、次いで粘着部材を自分の皮膚に向かって移動させ、接触させる。ユーザーは次いで粘着部材を自分の皮膚に押し付け、装具をその場に保持するのに十分なほど部材が付着することを確実にする。
【０００４】
ツーピース型ストーマ装具では、粘着部材は、装具の第１接続部に接続され、上記と同じ方法でユーザーの皮膚に接着される。しかし、袋は、第１接続部に着脱自在に接続可能である第２接続部に接続される。ツーピースの配置は、ユーザーがその皮膚から粘着部材を取り外すことなく、袋をきれいにするために取り外すかまたは新しい袋と交換することを可能にする。これにより、粘着部材の下にあるユーザーの皮膚への刺激が減少する。
【０００５】
先行技術の粘着部材の問題点は、ユーザーの体の固有の不規則な輪郭のために、取り付けた時に粘着部材が折れるかまたは「しわになる」場合が多いことである。これは、ストーマを入れた中央開口からこれらの「折り目」に沿って排泄液が漏れることにつながる可能性があり、また、粘着部材をユーザーにとって（より）不快な状態にする可能性がある。さらに、粘着部材にある折り目は、部材を取り除くのをより困難にする可能性があり、ユーザーに不快感をもたらす可能性がある。また、粘着部材にある折り目及びしわは、使用中に粘着部材の縁が持ち上がるという結果になる可能性があり、粘着部材がユーザーから分離されることにつながる可能性がある。
【発明の概要】
【発明が解決しようとする課題】
【０００６】
したがって、本発明の目的は、この問題に対処する粘着部材を提供することである。
【課題を解決するための手段】
【０００７】
本発明の第１の態様によれば、我々は、ユーザーの皮膚の一部に付着するため及びユーザーの皮膚の一部を覆うための、少なくともその一方の側面に粘着面を有する粘着部材であって、部材が複数の隙間を含み、各隙間が粘着部材の周縁から内側に延びることを特徴とする粘着部材を提供する。
【０００８】
各隙間が全体として細長くてもよい。各隙間が一対の対向する側壁を有してもよい。
【０００９】
対向する側壁が実質的に互いに平行に並べられてもよい。
【００１０】
対向する側壁が、内側に延びるにつれて互いに向かって延びてもよい。例えば、隙間が、内側に延びるにつれて徐々に細くなってもよい。
【００１１】
各隙間が、隙間への入口に隣接した部材の周縁の接平面に対して実質的に垂直な方向において、粘着部材の中央領域に向かって内側に延びてもよい。
【００１２】
部材が実質的に円形、楕円形または長円形であってもよく、各隙間が部材の中央領域に向かって実質的に半径方向内側に延びてもよい。
【００１３】
少なくとも１つの隙間が、実質的に他の１つの隙間の反対側に配置されてもよい。
【００１４】
各隙間が実質的に他の１つの隙間の反対側に配置されてもよい。
【００１５】
隙間が実質的に互いに平行に並べられてもよい。
【００１６】
少なくとも１つの隙間が、実質的に他の１つの隙間の正反対に配置されてもよい。
【００１７】
各隙間が、実質的に他の１つの隙間の正反対に配置されてもよい。
【００１８】
各隙間の対向する側壁が互いに向かって移動可能であってもよい。
【００１９】
部材はその中央領域に開口を含んでもよく、各隙間は開口に向かって延びてもよい。
【００２０】
部材の一方の半分が、部材の他方の半分より多くの前記隙間を有してもよい。
【００２１】
部材の一方の半分が３つの前記隙間を有してもよい。部材の一方の半分が２つの前記隙間を有してもよい。
【００２２】
本発明の第２の態様によれば、我々は、本発明の第１の態様による粘着部材を含むストーマ装具を提供する。
【００２３】
本発明の第３の態様によれば、我々は、本発明の第１の態様による粘着部材を含むワンピース型ストーマ装具を提供する。
【００２４】
本発明の第４の態様によれば、我々は、本発明の第１の態様による粘着部材を含むツーピース型ストーマ装具を提供する。
【図面の簡単な説明】
【００２５】
本発明の実施形態を、添付の図面のみを参照して、実施例として説明する。
【図１】本発明による粘着部材を含むストーマ装具の平面図である。
【図２】本発明による粘着部材の第２実施形態の平面図である。
【図３】本発明による粘着部材の第３実施形態の平面図である。
【図４】本発明による粘着部材の第４実施形態の平面図である。
【図５】使用中の図４の粘着部材の側面図である。
【図６】本発明による粘着部材のさらなる実施形態の平面図である。
【図７】本発明による粘着部材のさらなる実施形態の平面図である。
【図８】本発明による粘着部材のさらなる実施形態の平面図である。
【図９】本発明による粘着部材のさらなる実施形態の平面図である。
【図１０】本発明による粘着部材のさらなる実施形態の平面図である。
【図１１】本発明による粘着部材のさらなる実施形態の平面図である。
【図１２】本発明による粘着部材のさらなる実施形態の平面図である。
【発明を実施するための形態】
【００２６】
図１を参照すると、これは本発明による粘着部材１０の第１実施形態を含むストーマ装具１１を示す。ストーマ装具１１の一般的な構造は、当該分野でよく知られているので、ここでは、それが既知の手段によって粘着部材１０に接続された排泄物を入れるための袋１１ａを含む状態を除き、詳細に説明しない。
【００２７】
粘着部材１０（図２に別個に示す）は、概ね平面状であり、平面図において概ね円形であり、ユーザーのストーマを入れる開口１６を有する。開口１６は、ユーザーが手で、そのストーマの大きさ（例えば直径）に応じてサイズを大きくすることができる。粘着部材１０の目的は、ユーザーのストーマの周りの皮膚に付着することによって、ストーマ装具１１をユーザーへ固定し、液密シールを提供することである。したがって、ユーザーに面する粘着部材１０の側面は、接着面を有する。粘着部材１０のこの側面は、使用前に除去されるカバー２０によって覆われる。カバー２０は、その除去を支援するために、把持可能な領域またはタブ１５を有する。好ましくは、当技術分野で知られるように、粘着部材１０は、任意の適当な材料で十分であるが、親水コロイド材料であってもよい。
【００２８】
本発明の粘着部材１０は、有利には複数の、この実施例では５つの隙間１２を含み、その各々が部材１０の周縁から部材１０の中央領域に向かって延びる。この実施例では、隙間１２は、各々が細長く、互いに実質的に平行に並べられた一対の対向する側壁１３、１４を有する。代替案として、隙間１２は徐々に細くなってもよく、例えば、壁１３、１４は、それらが中央領域、例えば、部材１０の開口１６に向かって延びるにつれて、互いに向かって延びてもよい。
【００２９】
隙間１２は各々、各隙間１２への入口１２ａに隣接する部材１０の周縁の接平面に対して実質的に垂直な方向において、部材１０の中央領域に向かって延びる。本質的には、これは、粘着部材１０が概ね円形である場合、各隙間１２が実質的に部材１０の中央領域に向かって半径方向内側に延びることを意味する。
【００３０】
本実施例では、３つの隙間１２が部材１０の下半分に設けられ、２つの隙間１２が部材１０の上半分に設けられている。部材１０の上半分に設けられた隙間１２は、実質的に、部材１０の下半分に設けられた隙間１２の１つの反対側に（例えば、直径方向反対側に）位置する。残りの隙間１２は、部材１２の下半分の概ね中央部に設けられる。部材１０の（上半分よりも）下半分により多くの隙間１２提供することは、これが一般的に先行技術の粘着部材の折り目がより多く発生する領域であるため、有益である。また、上半分がストーマ装具１１からより多くの負荷を受け（特に袋が排泄物でいっぱいである場合）、したがって部材１０の上半分により大きな粘着領域を有することが有益であるため、上半分により少ない隙間１２を設けることは有益である。当然ながら、より少ないかまたはより多い隙間１２を設けてもよく、その位置は、必要に応じて、部材１０の周縁のあちこちに変更されてもよい。
【００３１】
図５は、粘着部材がユーザーの皮膚の外側に膨らんだ面に貼り付けられたときに、隙間１２がどのように動作するかを示す。開口部１２の側壁１３、１４が互いに向かって移動し、折り目が全くまたはほとんど生じないことを確実にする。これは、結果として粘着部材１０のユーザーの皮膚への粘着力を向上させ、粘着部材１０の背後のストーマからの漏れの可能性を低減する。
【００３２】
一般に、ユーザーのストーマの周りの皮膚は外側に膨らんでおり、この構成では、粘着部材１０がユーザーの皮膚に貼り付けられると、隙間１２の側壁１３、１４が互いに向かって移動する傾向がある。しかしながら、ユーザーの皮膚がストーマの周りでくぼんでいる場合は、粘着部材１０がユーザーの皮膚に貼り付けられると、隙間１２は互いから離れる。この結果、その周縁における粘着部材１０の伸びが小さくなり、ユーザーへの接着性と快適性を向上させる。
【００３３】
図３〜１２は、本発明による粘着部材１０’の他の実施形態を示す。同様の特徴には粘着部材１０の場合と同じ参照符号が与えられているが、プライム記号（’）が追加されている。これらの実施形態は、その周縁の形状が粘着部材１０と異なる。一部は、円形、楕円形または長円形であり、一部は概ね長方形またはひし形であり、一部はこれらの形状の組み合わせである。当然のことながら、任意の所望の形状を使用することができ、開口部１２’の数を増加または減少させ、それらの周縁の位置を変更することができる。これらの代替的な形状は、したがって、本発明の開口部１２，１２’をどのように利用できるかの例として含まれている。
【００３４】
本明細書及び特許請求の範囲で使用する場合、用語「備える」及び「備えている」とその変形は、特定の特徴、ステップまたは完全体が含まれていることを意味する。これらの用語は、他の特徴、ステップまたは構成要素の存在を除外すると解釈されるべきではない。
【００３５】
前述の説明、または以下の特許請求の範囲、または添付の図面において開示され、その特定の形式で、あるいは、開示された機能を実行するための手段、または必要に応じて開示された効果を達成するための方法またはプロセスに関して表された特徴は、単独で、またはそのような特徴の任意の組み合わせで、本発明をその多様な形態で実現するために利用され得る。
【図１】
2013505097.tif 000003
【図２】
2013505097.tif 000004
【図３】
2013505097.tif 000005
【図４−５】
2013505097.tif 000006
【図６】
2013505097.tif 000007
【図７】
2013505097.tif 000008
【図８】
2013505097.tif 000009
【図９】
2013505097.tif 000010
【図１０】
2013505097.tif 000011
【図１１】
2013505097.tif 000012
【図１２】
2013505097.tif 000013
【国際調査報告】
2013505097.tif 000014
2013505097.tif 000015